(57)【要約】【課題】バックライトを配置しても、水深表示装置の小型化を図れるようにすることにある。【解決手段】カウンタケース４は、仕掛けの水深を表示する装置であって、ケース部材１９と、回路基板２０と、液晶表示装置３０と、バックライト２３と、を備えている。ケース部材は、リール本体１に装着される。回路基板は、ケース部材の内部に固定される。液晶表示装置は、背面が回路基板に対向して配置される。バックライトは、発光素子３３と、導光板２８と、を有する。発光素子は、回路基板の背面と対向する上面に装着され、上面と交差する方向に光を出射する。導光板は、発光素子に対向して配置され発光素子から入光した光を折り曲げる反射部２８ａ、及び反射部で折り曲げられた光を液晶表示装置の背面側に拡散する照射部２８ｂを有する。【選択図】図５
2010263838.tif 000002
【特許請求の範囲】
【請求項１】
釣り用リールのリール本体に装着され仕掛けの水深を表示する水深表示装置であって、
前記リール本体に装着されるケース部材と、
前記ケース部材の内部に固定された回路基板と、
前記回路基板に背面が対向して配置され、前記回路基板に接続される液晶表示装置と、
前記回路基板の前記背面と対向する第１面に装着され、前記第１面と交差する方向と光を出射する発光素子と、前記発光素子に対向して配置され前記発光素子から入光した光を折り曲げる反射部、及び前記反射部で折り曲げられた光を前記液晶表示装置の背面側に拡散する照射部を有する導光板と、を有し、前記液晶表示装置の前記背面を照明するバックライトと、
を備えた釣り用リールの水深表示装置。
【請求項２】
前記回路基板の前記第１面に装着され、前記導光板の照射部と前記液晶表示装置とを前記回路基板の前記第１面と間隔をあけて配置する架台部をさらに備える、請求項１に記載の釣り用リールの水深表示装置。
【請求項３】
前記回路基板の前記第１面には、前記液晶表示装置を制御する制御素子が前記回路基板と前記照射部との間に形成された隙間に装着されている、請求項１又は２に記載の釣り用リールの水深表示装置。
【請求項４】
前記反射部は、前記発光素子への対向部分から前記液晶表示装置に向かって傾斜し、前記液晶表示装置に向かって光を反射する反射面を有する、請求項１から３のいずれか１項に記載の釣り用リールの水深表示装置。
【請求項５】
前記釣り用リールは、スプールを駆動するモータを有する電動リールであって、
前記回路基板の前記液晶表示装置と逆側の第２面には、前記モータを駆動する駆動素子が装着されている、請求項１から４のいずれか１項に記載の釣り用リールの水深表示装置。
【発明の詳細な説明】
【技術分野】
【０００１】
本発明は、表示装置、特に、釣り用リールのリール本体に装着される水深表示装置に関する。
【背景技術】
【０００２】
一般に、釣り用リールは、リール本体と、リール本体に装着されたスプールと、スプールを回転させるハンドルと、を有している。この種の釣り用リールにおいて水深表示用のカウンタケースと呼ばれる水深表示装置が搭載されているものがある。カウンタケースは、リール本体の上面に装着されている。カウンタケースには、セグメント方式またはドットマトリックス方式の液晶表示装置が搭載されており、魚が群れている水深である棚位置や現在の仕掛けの水深等を表示することができる。この種のカウンタケースにおいて、液晶表示装置の視認性を向上させるために、液晶表示装置の背面にバックライトを備えたものが従来知られている（たとえば、特許文献１参照）。
【０００３】
従来のバックライトは、光を照射する、たとえば発光ダイオード（ＬＥＤ）等の発光素子と、発光素子から照射される光を拡散する導光板と、を有している。発光素子は、カウンタケースの内部に設けられた各種の電気部品が配置される回路基板の一端側に装着され、光を回路基板に沿った方向に出射する。導光板は、液晶表示装置部の背面全体にわたって発光素子からの光を拡散する。
【先行技術文献】
【特許文献】
【０００４】
【特許文献１】特開２００２−２４４０９９号公報
【発明の概要】
【発明が解決しようとする課題】
【０００５】
前記従来の構成では、導光部材の端面に発光部材を配置している。このため、基板は液晶表示装置よりも広い面積が必要になる。基板が広くなればそれを収納するカウンタケースの面積も広くなり、リールの上部に広い平面を持つカウンタケースを配置しなければならない。これはリールの大型化を招き、釣りにおけるリールの把持性を損なってしまう。
【０００６】
本発明の課題は、水深表示装置において、バックライトを配置しても水深表示装置の小型化を図れるようにすることにある。
【課題を解決するための手段】
【０００７】
発明１に係る釣り用リールの水深表示装置は、釣り用リールのリール本体に装着され仕掛けの水深を表示する装置であって、ケース部材と、回路基板と、液晶表示装置と、バックライトと、を備えている。ケース部材は、リール本体に装着される部材である。回路基板は、ケース部材の内部に固定されている。液晶表示装置は、背面が回路基板に対向して配置され回路基板に接続される。バックライトは、液晶表示装置の背面を照明する。バックライトは、発光素子と、導光板と、を有している。発光素子は、回路基板の背面と対向する第１面に装着され、第１面と交差する方向に光を出射する。導光板は、発光素子に対向して配置され発光素子から入光した光を折り曲げる反射部、及び反射部で折り曲げられた光を液晶表示装置の背面側に拡散する照射部を有する。
【０００８】
この水深表示装置では、バックライトにおいて、発光素子から照射された光は第１面と交差する方向に出射され反射部に入光する。反射部に入光した光は、反射部で折り曲げられ、照射部により液晶表示装置の背面側に拡散して照射される。ここでは、導光板に反射部を設け、回路基板の第１面と交差する方向に発光素子から光を出射しても、液晶表示装置の背面側に光を拡散して照射できる。したがって、回路基板の面積を液晶表示装置と同程度に抑えることができ、バックライトを配置しても水深表示装置の小型化を図れるようになる。
【０００９】
発明２に係る釣り用リールの水深表示装置は、発明１に記載の装置において、回路基板の第１面に装着され、導光板の照射部と液晶表示装置とを回路基板の第１面と間隔をあけて配置するＬＣＤホルダをさらに備える。この場合には、ＬＣＤホルダを設け、そのＬＣＤホルダに導光板の照射部及び液晶表示装置を配置しているので、ＬＣＤホルダにより液晶表示装置及び照射部を補強することができる。
【００１０】
発明３に係る釣り用リールの水深表示装置は、発明１又は２に記載の装置において、回路基板の第１面には液晶表示装置を制御する制御素子が回路基板と照射部との間に形成された隙間に装着されている。この場合には、大きな制御素子を隙間に配置できるので、さらに水深表示装置の小型化を図れる。
【００１１】
発明４に係る釣り用リールの水深表示装置は、発明１から３のいずれかに記載の装置において、反射部は、発光素子への対向部分から液晶表示装置に向かって傾斜し、液晶表示装置に向かって光を反射する反射面を有する。この場合には、傾斜する反射面で光を反射するので、反射部の構成が簡素になる。
【００１２】
発明５に係る釣り用リールの水深表示装置は、発明１から４のいずれかに記載の装置であって、釣り用リールは、スプールを駆動するモータを有する電動リールであって、回路基板の液晶表示装置と逆側の第２面には、モータを駆動する駆動素子が装着されている。この場合には、大きな電気素子でありかつ発熱する駆動素子を液晶表示装置と離して回路基板の第２面に装着しているので、水深表示装置の小型化を図りつつ発熱による影響を液晶表示装置が受けにくくなる。
【発明の効果】
【００１３】
本発明によれば、導光板に反射部を設け、導光板に反射部を設け、回路基板の第１面と交差する方向に発光素子から光を出射しても、液晶表示装置の背面側に光を拡散して照射できる。したがって、回路基板の面積を液晶表示装置と同程度に抑えることができ、バックライトを配置しても水深表示装置の小型化を図れるようになる。
【図面の簡単な説明】
【００１４】
【図１】本発明の一実施形態が採用された電動リールの斜視図。
【図２】電動リールの中心部分で切断した縦断面図。
【図３】カウンタケースの分解斜視図。
【図４】その側面断面図。
【図５】その正面断面図
【発明を実施するための形態】
【００１５】
＜電動リールの全体構成＞
図１及び図２において、本発明の一実施形態を採用した電動リールは、外部電源から供給された電力により駆動されるリールである。また、電動リールは糸繰り出し長さ又は糸巻取長さに応じて仕掛けの水深を表示する水深表示機能を有するリールである。
【００１６】
電動リールは、釣り竿に装着可能なリール本体１と、リール本体１の側方に配置されたスプール１０の回転用のハンドル２と、ハンドル２のリール本体１側に配置されたドラグ調整用のスタードラグ３と、本発明の一実施形態による水深表示装置であるカウンタケース４と、を主に備えている。
【００１７】
リール本体１は、左右１対の側板７ａ，７ｂとそれらを下部及び前部で連結する第１連結部材７ｃ及び第２連結部材７ｄ（図２）とからなるフレーム７と、フレーム７の左右を覆う左右の側カバー８ａ及び側カバー８ｂと、フレーム７の前部を覆う前カバー９とを有している。
【００１８】
ハンドル２側の側カバー８ｂには、ハンドル２の回転軸が回転自在に支持されている。また、ハンドル２の支持部分の上方には、モータ１２を複数段階に制御するための調整レバー５が揺動自在に支持されている。ハンドル２と逆側の側カバー８ａの下面には、電源ケーブル接続用の図示しないコネクタが下向きに装着されている。下部の第１連結部材７ｃには、釣り竿に装着するための竿取付脚部１４が一体形成されている。前部の第２連結部材７ｄは、スプール１０の前方に筒状に形成されており、内部にスプール１０を駆動するモータ１２が固定されている。前カバー９には、釣り糸通過用の横長の開口９ａ（図２）が形成されている。
【００１９】
リール本体１の内部には、モータ１２及びハンドル２に連結されたスプール１０が回転自在に支持されている。また、リール本体１の後部には、ハンドル２及びモータ１２とスプール１０との駆動伝達をオンオフするクラッチ（図示せず）の操作部材１１が配置されている。このクラッチをオンすると、仕掛けの自重による糸繰り出し中に、糸繰り出し動作を停止できる。
【００２０】
また、リール本体１の内部には、図２に示すように、スプール１０に連動して動作するレベルワインド機構１３やハンドル２の回転をスプール１０に伝達する伝達機構（図示せず）等が設けられている。レベルワインド機構１３は、スプール１０と連動して釣り糸をスプール１０に均一に巻き取るために設けられている。リール本体１の側板７ａ，７ｂの上部に、図１及び図２に示すように、釣り糸の先に装着された仕掛けの水深を表示するカウンタケース４が固定されている。
【００２１】
＜カウンタケース構成＞
カウンタケース４は、図３から図５に示すように、リール本体１の上部に固定されたケース部材１９と、回路基板２０と、液晶表示装置３０と、バックライト２３と、ＬＣＤホルダ（架台部の一例）２７と、を備えている。回路基板２０は、ケース部材１９の内部に固定されている。液晶表示装置３０は、回路基板２０に背面が対向して配置され、回路基板２０に、たとえばフレキシブル基板４６（図５）を介して接続されている。バックライト２３は、回路基板２０の背面に対向する上面（第１面の一例）に装着された発光素子３３を有し、液晶表示装置３０の背面を照明する。ＬＣＤホルダ２７は、回路基板２０の上面に装着され、バックライト２３の後述する照明部２３ｂと液晶表示装置３０とを回路基板２０の上面と間隔をあけて配置する。
【００２２】
ケース部材１９は、リール本体１の側板７ａ，７ｂの内側面にねじ３８によりそれぞれ固定されている。ケース部材１９は、下面に下面全体が開口する例えば矩形の第１開口２４ａを有し内部に収納空間ＳＡを有する筐体部２４、筐体部２４から前方に延びる前カバー部２５と、筐体部２４の後方に配置された後カバー部２６と、を有している。筐体部２４は、上面部２４ｂと、上面部２４ｂの下面を囲むように四方に配置された壁部２４ｃと、を有している。この壁部２４ｃの下部が第１開口２４ａになっている。したがって、第１開口２４ａは、壁部２４ｃの下面全体にわたり形成されている。
【００２３】
上面部２４ｂには、図４に示すように、窓部材２２により塞がれた概ね矩形の第２開口２４ｄと、２つのスイッチＳＷ１，ＳＷ２を露出するための円形のスイッチ開口２４ｅ，２４ｆと、が形成されている。スイッチＳＷ１は、たとえば、０セット用のスイッチであり、スイッチＳＷ２は、たとえば、棚メモ等のメモリ用のスイッチである。スイッチ開口２４ｅ，２４ｆは、第２開口２４ｄの後方に左右方向に並べて配置されている。スイッチ開口２４ｅ，２４ｆの内周面の下部には、上部より大径のスイッチ壁部２４ｇが筒状に形成されている。第１開口２４ａには、蓋部材２１を位置決めして配置するための段差部２４ｈが形成されている。上面部２４ｂには、窓部材２２を位置決めして載置するために内側に突出する載置部２４ｉが上面より僅かに凹んで形成されている。この載置部２４ｉに第２開口２４ｄとスイッチ開口２４ｅ，２４ｆが形成されている。したがって、載置部２４ｉは、第２開口２４ｄの内周側の周囲の全体にわたって形成されている。
【００２４】
図５左側の壁部２４ｃには、電源供給用のコネクタと、モータ１２と、図示しないスプール回転センサと、に接続される、たとえば８本の配線を取り出す第１配線取出孔２４ｊが形成されている。また、右側の壁面には、調整レバー５に接続される、たとえば３本の配線を取り出す第２配線取出孔２４ｋが形成されている。これらの第１配線取出孔２４ｊ及び第２配線取出孔２４ｋは、配線取り出し後に、たとえばシリコン樹脂製の充填材により封止される。スプール回転センサは、カウンタケース４の外部に配置されている。
【００２５】
スイッチＳＷ１は、硬質の合成樹脂製のスイッチ操作部材４０と、スイッチ操作部材４０により押圧されるタクトスイッチ４１と、を有している。スイッチ操作部材４０は、操作部４２と、操作部４２に装着された弾性体製のばね部４３と、を有している。操作部４２は、僅かに先細りの円柱状の部材であり、スイッチＳＷ１の操作を行うためにスイッチ開口２４ｅから先端が突出して設けられている。操作部４２の外側面はメッキ処理されている。ばね部４３は、操作部４２に装着される装着部４３ａと、装着部４３ａと一体形成され装着部４３ａからスイッチ開口２４ｅの大径側の内周面に拡がる拡大部４３ｂと、拡大部４３ｂの縁部から筒状に延びスイッチ壁部２４ｇに接触するシール部４３ｃと、を有している。装着部４３ａは、中心部から下方に延びてタクトスイッチ４１を押圧可能な押圧部４３ｄを有している。押圧部４３ｄの下方に、回路基板２０の上面に搭載されたタクトスイッチ４１が僅かな隙間をあけて配置されている。
【００２６】
拡大部４３ｂは、装着部４３ａの周囲からスイッチ壁部２４ｇに接触する位置まで薄い厚みでやや傾斜して板状に延びている。拡大部４３ｂは、装着部４３ａからスイッチ壁部２４ｇまでの隙間をカバーするとともに、操作部４２を回路基板２０から離反する方向に付勢するために設けられている。このような拡大部４３ｂの作用により、操作部４２を押圧操作後に手を離すと操作部４２が回路基板２０から離反する方向に自動的に戻る。シール部４３ｃは、スイッチ壁部２４ｇに沿って接触するように筒状に形成されている。このシール部４３ｃの内側に密着部材４４が密着している。
【００２７】
密着部材４４は、たとえばステンレス合金などの金属製の筒状の部材であり、シール部４３ｃに沿った形状である。この密着部材４４がシール部４３ｃをスイッチ壁部２４ｇ側に押圧してシール部４３ｃをスイッチ壁部２４ｇに密着させている。これにより、スイッチ操作を行うために、ケース部材１９にスイッチ開口２４ｅを設けても、ケース部材１９の内部に上面側から液体が浸入しにくくなる。しかも、シール部４３ｃを密着部材４４によりスイッチ壁部２４ｇに押圧してシールしているので、回路基板２０を装着するためのねじの本数を少なくすることができ、回路基板２０の装着時に回路基板２０が変形しにくくなる。
【００２８】
操作部４２に用いる合成樹脂としてはアクリル樹脂等のメッキが付着しやすく剥がれにくい合成樹脂が好ましい。ばね部４３に用いる合成樹脂弾性体としては、スチレン‐ブタジエン‐ゴム（ＳＢＲ）、アクリロニトリル‐ブタジエン‐ゴム（ＮＢＲ）、ブタジエン‐ゴム、イソプレン‐ゴム、クロロプレン‐ゴム、シリコン‐ゴム、ウレタン‐ゴムなどの絶縁性を有する合成ゴムが好ましい。
【００２９】
このように構成されたスイッチＳＷ１，ＳＷ２では、スイッチ操作部材４０が硬質の操作部４２と弾性体製のばね部４３とで構成されている。このため、スイッチ操作部材４０の意匠がばね部４３の材質に限定されなくなり、操作部４２の意匠を自由に決定できる。たとえば、この実施形態では、弾性体には施すことができないメッキ処理を操作部４２に施している。また、塗料や操作部４２の素材の色により任意の色を表現することもできる。
【００３０】
回路基板２０は、概ね矩形の合成樹脂製の基板であり、ＬＣＤホルダ２７に、たとえば２本のねじ部材３８により固定されている。回路基板２０は、蓋部材２１に載置された基板支持部材２９によって蓋部材２１と間隔を隔てて配置されている。回路基板２０には、表示装置の一例である液晶表示装置（ＬＣＤ）３０と、モータ１２を駆動するための電界効果トランジスタ（ＦＥＴ）からなる２つの駆動素子３１と、が接続されている。また、回路基板２０には、モータ１２及び液晶表示装置を制御するマイクロコンピュータからなる制御素子３２と、液晶表示装置３０のバックライトとして機能する、たとえばＬＥＤからなる発光素子３３と、電池３４と、電池の逆接防止用のダイオード３５と、報知用のブザー３６と、抵抗やコンデンサなどのその他の電気部品と、スプール回転センサと、が接続されている。電池３４は、たとえば、ボタン電池であり、電気回路の電源として使用される。これにより、モータ１２を使用しない場合には、手巻きのカウンタリールとして電動リールが機能する。ここで、回路基板２０の上面には、制御素子３２と、タクトスイッチ４１と、発光素子３３と、抵抗及びコンデンサ等のその他の電気部品と、が配置されている。回路基板２０の下面には、駆動素子３１と、電池３４と、ダイオード３５と、ブザー３６と、その他の電気部品と、が配置されている。回路基板２０は、ねじ部材３８によりＬＣＤホルダ２７に固定されている。
【００３１】
基板支持部材２９は、蓋部材２１に載置されている。基板支持部材２９は、回路基板２０を蓋部材２１と離反させて配置するための複数の突起部２９ａを有している。また、基板支持部材２９には、後述する蓋部材２１の第１湾曲部２１ａ及び第２湾曲部２１ｂを通過させるための長円形開口２９ｃ及び円形開口２９ｄが形成されている。
【００３２】
ここで、回路基板２０は、基板支持部材２９に載置され、僅かに移動可能に支持されている。また、基板支持部材２９は、蓋部材２１に載置されているだけであり、蓋部材２１にたとえば両面テープやねじ部材などの固定部材により固定されていない。さらに、回路基板２０はＬＣＤホルダ２７に固定されているため、回路基板２０，ＬＣＤホルダ２７及び液晶表示装置３０は一体化されている。この一体化された部分を、蓋部材２１を装着したときに傾かないようにするために基板支持部材２９が設けられている。すなわち、基板支持部材２９は、回路基板２０と蓋部材２１との隙間を埋めるスペーサとして機能している。なお、基板支持部材２９を蓋部材２１に両面テープ等により固定してもよい。
【００３３】
液晶表示装置３０は、第２開口２４ｄに臨むように配置されている。液晶表示装置３０は、回路基板の上面に配置されたバックライト２３の後述する導光板２８に載置され、両面テープ４８により導光板２８に固定されている。液晶表示装置３０とケース部材１９の上面部２４ｂの下面との間には、クッション部材４７が配置されている。導光板２８は、ＬＣＤホルダ２７に載置され、両面テープ４９により後述する載置面２７ａに固定されている。ＬＣＤホルダ２７は、導光板２８が載置される平板状の載置面２７ａと、載置面２７ａの下面に下方に突出して形成された複数（例えば４つ）の脚部２７ｂと、導光板２８の後述する反射部２８ａがはめ込まれるスリット部２７ｃと、を有している。これにより、ＬＣＤホルダ２７に導光板２８と液晶表示装置３０とが固定される。
【００３４】
従来の回路基板では、液晶表示装置用の回路が搭載された回路基板と制御素子用の回路が搭載された回路基板との２枚の基板を用いている。しかし、本実施形態では、カウンタケース４の小型化を図るため、１枚の回路基板２０に液晶表示装置３０の回路と、駆動素子３１を含む制御素子３２の回路とを搭載している。このため、液晶表示装置３０を導光板２８と共にＬＣＤホルダ２７に載置し、液晶表示装置３０と回路基板２０の上面との間に隙間を開けることができる。これにより、隙間に制御素子３２等の大きな電気素子を配置でき、回路基板２０の上面を効率良く使用できるようになる。
【００３５】
液晶表示装置３０とＬＣＤホルダ２７との間には、バックライト２３が配置されている。バックライト２３は、前述した発光素子３３と、発光素子３３からの光を効率よく液晶表示装置の下面に導くための板状の導光板２８と、を有している。発光素子３３は、光を回路基板２０の上面から離反する上方（第１面と交差する方向の一例）に光を出射する。このため、この実施形態では、導光板２８は、扁平Ｌ字形に形成されている。導光板２８は、透明な光学素子であり、光を拡散して効率よく液晶表示装置３０の背面に導いて拡散させる。発光素子３３は、回路基板２０の上面に搭載されているため、液晶表示装置３０から離れて配置されている。このため、この実施形態では、導光板２８は、発光素子３３の上方に対向して配置された反射部２８ａと、反射部２８ａから折れ曲がって液晶表示装置３０の下面に配置される照射部２８ｂと、を有している。反射部２８ａは、液晶表示装置３０に向かって傾斜した面取り形状の反射面２８ｃを、両側部を除く中央部分に有している。反射面２８ｃには、たとえば白色の反射シート２８ｄが貼り付けられている。この反射シート２８ｄにより、発光素子３３から照射された光を９０度屈折させて照射部２８ｂに導く。なお、反射シート２８ｄに代えて、反射面２８ｃに白色塗料を塗布してもよい。
【００３６】
このような構成のバックライト２３では、発光素子３３から照射された光は図５に一点鎖線の矢印で示すように、回路基板２０の上面と交差する上方に出射され導光板２８の反射部２８ａに入光する。反射部２８ａに入光した光は、反射部２８ａで９０度折り曲げられて照射部２８ｂに向かい、照射部２８ｂにより液晶表示装置３０の背面側に拡散して照射される。
【００３７】
蓋部材２１は、たとえば、アルミニウム合金製の薄板状の部材をプレス加工により成形して作成された部材である。蓋部材２１は、ケース部材１９の下面に形成された第１開口２４ａの段差部２４ｈに装着され、第１開口２４ａを閉塞する部材である。蓋部材２１は、段差部２４ｈに塗布された接着機能を有するシール部材５２によりケース部材１９に接着される。また、蓋部材２１は、２本のねじ部材３９によりケース部材１９に固定されている。蓋部材２１は、それぞれ上方に曲げられた第１湾曲部２１ａと第２湾曲部２１ｂと、を有している。第１湾曲部２１ａには、回路基板２０の下面に搭載された駆動素子３１が近接して配置されている。第２湾曲部２１ｂには、回路基板２０の下面に搭載された逆接防止用のダイオード３５が近接して配置されている。
【００３８】
第１湾曲部２１ａは、回路基板２０に接近する方向に長円形に凹んで形成され断面が等脚台形形状である。第２湾曲部２１ｂは、回路基板２０に接近する方向に円形に凹んで形成され、断面が二等辺三角形形状である。これらの第１湾曲部２１ａ及び第２湾曲部２１ｂは、プレス成形により型により形成される。第１湾曲部２１ａは、駆動素子３１に接近させるために第２湾曲部２１ｂより大きく凹んでいる。また、蓋部材２１には、ブザー３６が配置される窪み２１ｃが回路基板２０から離れる方向に僅かに凹んで形成されている。この窪み２１ｃはプレス成形により形成される。ブザー３６の上面は、回路基板２０が支持された基板支持部材２９の下面にリング状の両面テープ５０により固定されている。ブザー３６の下面には、蓋部材２１の窪み２１ｃに接触するリング状のブザークッション５１が貼り付けられている。駆動素子３１及びダイオード３５には、放熱性能を高めるために放熱シート３７ａ，３７ｂがそれぞれ貼り付けられている。
【００３９】
窓部材２２は、載置部２４ｉに配置され、第２開口２４ｄ及び液晶表示装置３０の上方を覆う部材である。窓部材２２は、透明な合成樹脂製の角が丸められた概ね矩形形状である。窓部材２２は、上面が僅かに湾曲して形成されている。また、後方側が前方側より厚みが厚くなるように形成されている。窓部材２２は、上面部２４ｂに凹んで形成された載置部２４ｉに載置されている。窓部材２２は、載置部２４ｉに貼り付けられた防水機能を有する窓部材２２と略同外形の両面テープ４５よりケース部材１９に固定されている。この実施形態では、窓部材２２は、第２開口２４ｄに対向する部分以外は着色されている。また、窓部材２２及び両面テープ４５には、スイッチＳＷ１，ＳＷ２の操作部４２が貫通可能な通過孔２２ａ，４５ａがそれぞれ形成されている。両面テープ４５には第２開口２４ｄに対向する部分に矩形の開口４５ｂが形成されている。
【００４０】
このような構成のカウンタケース４において、スイッチＳＷ１のスイッチ操作部材４０をケース部材１９に装着する際には、まず、スイッチ操作部材４０をケース部材１９の内側からスイッチ開口２４ｅに装着する。そして、シール部４３ｃをスイッチ壁部２４ｇに段差に当接するまで押し込む。この状態で、密着部材４４を各シール部４３ｃの内側面に装着することで、シール部４３ｃがスイッチ壁部２４ｇに密着してスイッチ開口２４ｅ
このような構成の電動リールでは、釣り糸を繰り出す時には、操作部材１１を下方に押圧操作することによりクラッチをオフし、スプール１０を自由に回転させ、釣り糸に装着された重りの自重により釣り糸を繰り出す。釣り糸が繰り出されるとスプール１０が回転し、図示しないスプールの回転センサの検出パルスにより液晶表示装置３０の水深表示が繰り出し量に応じて変化する。仕掛けが棚に到達すると、ハンドル２を糸巻取方向に回して図示しないクラッチ戻し機構によりクラッチをオンして釣り糸の繰り出しを停止する。
【００４１】
魚の当たりがあると、調整レバー５を操作し釣り糸を巻き上げる。調整レバー５を図１時計回りに揺動させると、その揺動角度に応じてスプール１０の回転速度又は釣り糸に作用する張力の最大値を段階的に設定できる。
【００４２】
この結果、モータ１２は、調整レバー５の揺動角度に応じて回転する。この巻き上げ時に作用する負荷に応じて駆動素子３１は発熱するが、スプール１０の回転により発生する空気の流れがケース部材１９の蓋部材２１に当たり蓋部材２１を冷却する。この結果、蓋部材２１の第１湾曲部２１ａに近接して配置された駆動素子３１及び第２湾曲部２１ｂに近接して配置されたダイオード３５が容易かつ確実に冷却される。
【００４３】
また、スイッチ操作部材４０の筒状のシール部４３ｃを密着部材４４で押圧してスイッチ開口２４ｅからの液体の浸入を防止しているので、回路基板２０とケース部材１９とでシール部を挟んでシールする従来技術に比べて、回路基板２０の変形を抑えてカウンタケース４を確実にシールできる。
【００４４】
＜特徴＞
（Ａ）電動リールのカウンタケース４は、電動リールのリール本体１に装着され仕掛けの水深を表示する装置であって、ケース部材１９と、回路基板２０と、液晶表示装置３０と、バックライト２３と、を備えている。ケース部材１９は、リール本体１に装着される部材である。回路基板２０は、ケース部材１９の内部に固定されている。液晶表示装置３０は、背面が回路基板２０に対向して配置され回路基板２０に接続される。バックライト２３は、液晶表示装置３０の背面を照明する。バックライト２３は、発光素子３３と、導光板２８と、を有している。発光素子３３は、回路基板２０の背面と対向する上面に装着され、上面と交差する方向に光を出射する。導光板２８は、発光素子３３に対向して配置され発光素子３３から入光した光を折り曲げる反射部２８ａ、及び回路基板２０の上面と隙間をあけて配置され、反射部２８ａで折り曲げられた光を液晶表示装置３０の背面側に拡散する照射部２８ｂを有する。
【００４５】
このカウンタケース４では、バックライト２３において、発光素子３３から照射された光は上面と交差する方向に出射され反射部２８ａに入光する。反射部２８ａに入光した光は、反射部２８ａで折り曲げられ、照射部２８ｂにより液晶表示装置３０の背面側に拡散して照射される。ここでは、導光板２８に反射部２８ａを設け、回路基板２０の上面と交差する方向に発光素子３３から光を出射しても、液晶表示装置３０の背面側に光を拡散して照射できる。したがって、照射部２８ｂと回路基板２０の上面との間に隙間を形成しても光を液晶表示装置３０の背面に確実に導くことができる。このため、隙間に大きな電気素子を配置可能になり、カウンタケース４の小型化を図ることができる。
【００４６】
（Ｂ）回路基板２０の上面に装着され、導光板２８の照射部２８ｂと液晶表示装置３０とを回路基板２０の上面と間隔をあけて配置するＬＣＤホルダ２７をさらに備えている。このため、ＬＣＤホルダ２７を設け、そのＬＣＤホルダ２７に導光板２８の照射部２８ｂ及び液晶表示装置３０を回路基板２０の上面と間隔をあけて配置しているので、ＬＣＤホルダ２７により液晶表示装置３０及び照射部２８ｂを補強することができる。
【００４７】
（Ｃ）回路基板２０の上面には液晶表示装置３０を制御する制御素子３２が回路基板２０と照射部２８ｂとの間に形成された隙間に装着されている。この場合、大きな制御素子３２を隙間に配置できるので、さらにカウンタケース４の小型化を図れる。
【００４８】
（Ｄ）反射部２８ａは、発光素子３３への対向部分から液晶表示装置３０に向かって傾斜し、液晶表示装置３０に向かって光を反射する反射面２８ｃを有している。このため、傾斜する反射面２８ｃで光を反射するので、反射部２８ａの構成が簡素になる。
【００４９】
（Ｅ）釣り用リールは、スプール１０を駆動するモータを有する電動リールであって、回路基板２０の液晶表示装置３０と逆側の下面には、モータ１２を駆動する駆動素子３１が装着されている。この場合には、大きな電気素子でありかつ発熱する駆動素子３１を液晶表示装置３０と離して回路基板２０の下面に装着しているので、カウンタケース４の小型化を図りつつ発熱による影響を液晶表示装置３０が受けにくくなる。
【００５０】
＜他の実施形態＞
以上、本発明の一実施形態について説明したが、本発明は上記実施形態に限定されるものではなく、発明の要旨を逸脱しない範囲で種々の変更が可能である。
【００５１】
（ａ）前記実施形態では、導光板２８及び液晶表示装置３０をＬＣＤホルダに載置したが、本発明はこれに限定されない。たとえば、ＬＣＤホルダを設けずに液晶表示装置３０と導光板２８とをケース部材１９に固定して隙間をあけてもよい。ただし、回路基板２０に装着されたＬＣＤホルダ２７にバックライト２３と液晶表示装置３０とを配置して固定すると、それらをまとめて組み込むことができ、組立コストを低減できる。
【００５２】
（ｂ）前記実施形態では、釣り用リールとして電動リールを例示したが、釣り用リールは、カウンタケース付きの手巻きの両軸受リールであってもよい。
【符号の説明】
【００５３】
１    リール本体
４    カウンタケース
１０    スプール
１２    モータ
１９    ケース部材
２０    回路基板
２３    バックライト
２７    ＬＣＤホルダ（架台部の一例）
２８    導光板
２８ａ  反射部
２８ｂ  照射部
２８ｃ  反射面
３０    液晶表示装置
３１    駆動素子
３２    制御素子
【図１】
2010263838.tif 000003
【図２】
2010263838.tif 000004
【図３】
2010263838.tif 000005
【図４】
2010263838.tif 000006
【図５】
2010263838.tif 000007